(57)【特許請求の範囲】
【請求項１】
中心支柱を含む商品陳列スタンドであって、
該中心支柱から半径方向において配列され、該中心支柱の上端部位置において支持される複数のスポークと、
前記中心支柱に固定した閉鎖リングと、
前記中心支柱の上端に取り付けた回転自在のキャップと、
を含み、
前記複数のスポークが、該複数のスポーク及び前記閉鎖リングが相互に係合する第１の位置と、前記複数のスポークが前記閉鎖リングから分離され、かくして商品を商品陳列スタンドに容易に配置し及び当該商品陳列スタンドから商品を容易に取り外し可能となる第２の位置との間で可動であると共に、当該第２の位置に偏倚され、
前記回転自在のキャップの下端が、前記複数のスポークと係合し、該複数のスポークを前記第２の位置に偏倚させる力に打ち勝って当該複数のスポークを押し下げるようになっている商品陳列スタンド。
【請求項２】
回転自在のキャップには、複数のスポークの選択された１つを挿通させ得且つ選択された１つのスポークを上昇させ得る軸方向長孔が設けられる請求項１の商品陳列スタンド。
【請求項３】
回転自在のキャップが、複数のスポークの選択された１つを軸方向長孔との整列状態から外すようにバネ偏倚される請求項２の商品陳列スタンド。
【請求項４】
回転自在のキャップには、複数のスポークの選択された１つが軸線方向長孔に入らないようにする錠止手段が設けられる請求項３の商品陳列スタンド。
【請求項５】
中心支柱が、その下端位置で台座に取り付けられる請求項１の商品陳列スタンド。
【請求項６】
商品が、複数のスポークに配置され及び該複数のスポークから取り外される請求項１の商品陳列スタンド。
【請求項７】
第１の端部を中心支柱に取り付け、第２の端部を閉鎖リングに取り付けた、半径方向に伸延する複数のアームを更に含み、商品が該複数の半径方向に伸延する複数のアームに配置され及び該複数の半径方向に伸延する複数のアームから取り外され、複数のスポークが、第１の位置において、前記該複数の半径方向に伸延する複数のアームからの商品取り外しを防止する請求項１の商品陳列スタンド。
【請求項８】
複数のスポークが、上方に突出する複数のピンを更に含み、商品が該複数のピンに配置され及び該複数のピンから取り外される請求項７の商品陳列スタンド。
【請求項９】
複数のスポークが、上方に突出する複数のピンと係合して商品の取り外しを防止するための、下方に突出する複数のキャップを更に含む請求項８の商品陳列スタンド。
【発明の詳細な説明】
【０００１】
（発明の分野）
本件出願は１９９９年１０月８日付けの仮出願番号第６０／１５８，６６５号に基づくものである。
本発明は、宝石用の鎖あるいはネックレスを支えるための改良型の商品陳列スタンドに関する。
【０００２】
（従来の技術）
本件出願人の米国特許第５，８４８，７１０号には、台座に支柱を垂直に立てた商品陳列スタンドが開示される。この支柱の上端には、陳列するべき商品を保持するようにした複数のスポークが半径方向に間隔を置いて取り付けられる。支柱の上端には、各スポークと共に作動するようにした閉鎖リングも別個に取り付けられる。各スポーク及びあるいは閉鎖リングは、商品をスポーク上に配置しあるいはそこから取り除くことができるよう、支柱に関して垂直方向に可動とされる。
【０００３】
（解決しようとする課題）
上述したような構造上、店員は閉鎖リングからスポークを手で持ち上げて開放させ、この開放させた状態のままで商品をスポークに掛けあるいはスポークから外す必要がある。店員は、店が開いている間中、客に対応するために各スポークを絶えず上げ下げし且つ保持しなくてはならない。こうした商品取り扱い上、店員は両手で、つまり、片方の手でスポークを持ち上げつつ他方の手で商品を取り扱わねばならない。この前記特許の陳列スタンドは宝石用の物品を保持及び陳列するための改良された陳列スタンドとしては満足すべきものである。
解決しようとする課題は、使用が簡単で且つ手で簡単に操作することができ、しかも尚、盗難、万引きなどを防止あるいは最小化する特徴を持った陳列スタンドを提供することである。
解決しようとする他の課題は、構造が簡単で見た目が良く、製造コストも安価な陳列スタンドを提供することである。
【０００４】
（課題を解決するための手段）
概略すると、本発明の陳列スタンドは、台座上に垂直に取り付けた支柱アセンブリを含んでいる。支柱の上端位置には複数のスポークと保持用のリングとが取り付けられる。各スポークは上方に常偏倚するように可動状態で取り付けられ、支柱の上端には、各スポークを支柱に押し付けた状態に維持するセンターキャップが回転自在に取り付けられる。このセンターキャップは、このセンターキャップを適正に回転させたときに、選択したスポークの１本を自動的に上昇させるための軸方向長孔が設けられる。
【０００５】
（発明の実施の形態）
図には本発明の陳列スタンドが全体を番号１０で示され、台座１２と、垂直に配向された状態で台座１２に取り付けた中空円筒状の支柱１４と、支柱１４の上端位置に水平方向に取り付けたハンガーアセンブリ１６とを含んでいる。ハンガーアセンブリ１６は、支柱１４から半径方向に配列した複数のスポーク１８と、支柱１４に一対のアーム２０を介して固定した閉鎖リング２２とを含んでいる。閉鎖リング２２は、スポーク１８の端部を常閉してこのスポーク上に商品Ｍを保持する、取り外し防止装置として作用する。
【０００６】
支柱１４の下端は、好ましくは台座１２に支柱１４をしっかりと固定することができるようにする合致用のネジ溝を有すべきであるところの中央開口に取り外し自在に固着される。支柱１４の上端には一対のアーム２０が取り付けられる。これらのアーム２０は、閉鎖リングの直径位置で伸延され、半径方向外側の端部が閉鎖リング２２に取り付けられる。支柱１４の上縁部あるいはリム部分には、スポーク１８を座着させる複数の切り欠き２４が設けられる。
【０００７】
支柱１４の上端内には中心軸５２が配置される。中心軸５２には、ガイド孔３２を設けた一対のプレート２８及び３０が吊下される。プレート２８は支柱１４の内部の中間点位置に固定され、プレート３０は支柱１４の上端の、切り欠き２４の直下の位置に固定される。プレート２８及び３０は、ガイド孔３２の全てが軸線方向に相互に一致するように整列されるのみならず、各スポーク１８を案内するように各切り欠き２４と半径方向に整列される。
【０００８】
各スポーク１８は、細長いロッド３４を長手方向に延長して各端部間の中間位置でＬ字形に折り曲げたものである。各ロッド３４は垂直方向に可動であるようにガイド孔３２及びプレート２８の夫々に緩く通される。コッタピン３６がガイド孔３２からのロッド３４の抜け出しを防止する。ガイド孔３２からのロッドの抜け出しを防止するためにはコッタピンの他に任意の手段（即ちキャップ）を使用することができる。ロッド３４には、このロッド３４を下げた時に圧縮バネ４２を圧縮する手段４０を、プレート２８から所定距離上方に離間して位置付けるための円周方向溝３８も設けられる。通常の使用に際し、圧縮バネ４２は各スポーク１８を上方に偏倚させた状態に保持する。
各ロッド３４の上端をガイド孔３２に通したことにより、各ロッド３４が垂直方向軸線に沿ってのみ、上昇及び降下することが保証される。各ガイド孔３２には各ロッド３４を垂直方向軸線に沿って円滑に移動させるためのブッシュ４４が設けられる。
【０００９】
閉鎖リング２２の上面には、各ロッド３４を押し下げた（第２位置）場合に各スポーク１８の端部を座着させる複数の窪みあるいは凹所４６が設けられる。各スポーク１８の端部を相当する凹所４６に座着させることで、商品の無断取り外しが防止される。ロッド３４を持ち上げる（第１の位置）と、スポーク１８の端部が凹所４６からある距離垂直方向に離れ、かくして、必要に応じて陳列スタンド１０に商品を追加しあるいは取り外すことができるようになる。
【００１０】
スポーク１８とロッド３４の一体的な動作は、中心軸５２の上端位置にベアリング５０を介して廻動自在に支承させたキャップ４８により制御される。ベアリング５０の外側レースはキャップ４８の中心位置に固定取り付けされ、内側レースは中心軸５２の上端に固定取り付けされる。中心軸５２はプレート２８及び３０の中心を通り、ネジ溝付きナット５４により然るべく固定される。これによりキャップ４８は中心軸５２を中心として自由に回転する。
【００１１】
キャップ４８は、水平方向壁と、この水平方向壁から垂下するスカート部分とからなるコップ形状を有する。キャップ４８のスカート部分には、水平方向壁には延長されない単一の軸方向長孔５６が設けられる。この軸方向長孔５６の底部がストッパ５８を創出し、キャップ４８の、この軸方向長孔５６の開口部分を除く下方周囲縁部或はリップが、キャップ４８を回転させた場合に各スポーク１８が接触するカム表面を提供する。
【００１２】
使用に際しての初期状態では、各スポーク１８は前記第２の位置、即ち押し下げた位置にあり、キャップ４８の軸方向長孔５６は任意のスポーク１８とは整合しない位置に回転されている。キャップ４８の下方周囲縁部は、キャップを回転して軸方向長孔５６を選択したスポーク１８と整列させるまで、スポーク１８を上昇させないバリヤとして働く。キャップ４８の軸方向長孔５６を選択したスポーク１８と整合させると、この選択されたスポーク１８は圧縮バネ４２に偏倚されて第１の位置に自動的に上昇する。かくして、陳列スタンド１０は開放され且つ開放状態に維持され、圧縮バネ４２の継続的な力により然るべく錠止される。陳列スタンド１０を閉じるに際しては、店員はスポーク１８を押し下げて圧縮バネ４２を再度圧縮する。そして後、キャップ４８を回転させて下方周囲縁部をスポーク１８の上方に移動させる。
【００１３】
キャップ４８を、全てのスポークが押し下げられた閉鎖位置に自動復帰させるために、コイルバネあるいは螺旋バネ６０が、一端をキャップ４８に、他端を中心軸５２に取り付けた状態で設けられる。これによりキャップ４８は、支柱１４に関する初期の通常位置に回転自在に偏倚される。
キャップ４８には、キャップ４８が回転した場合でもスポーク１８が不用意に上昇しないようにするための、舌部６２と、キー作動式のピボット６４とからなる錠止手段も設けられる。
【００１４】
本発明の陳列スタンドは金属管、即ち、外観的にも最適なクロムあるいは真鍮から作製することができる。その他の金属を使用することができるのは勿論である。
台座１２は円形形状に示されるが、実際上は任意のその他の形状あるいは形態のものとすることができる。同様に、支柱１４は円筒形状に示されているが、小売業者の所望する審美的効果を創出する任意の装飾的輪郭を用い、あるいは任意の仕上げを施すことができる。
【００１５】
図５〜図８には本発明を具体化した別態様の陳列スタンド１００が示される。陳列スタンド１００は、全体的には、従来の台座１０４上に円筒状の支柱１０２を取り付け、この支柱１０２に陳列ホイール１０６を位置付けた形態を有している。陳列ホイールは、支柱１０２の上部を覆い且つ座着するよう、支柱１０２の外径よりも若干大きい内径を有する円筒状のハブ１０８から成り立つ。ハブ１０８には半径方向に伸延する複数のアーム１１０（図では４本が示される）が固定取り付けされ、各アーム１１０には商品を保持する複数のハンガー１１２が設けられる。ハブ１０８には、複数のスポーク１１６を位置付けたガイドプレートを収納するマニホルド凹所１１４が支持される。各アーム１１０は、図５に示されるように、半径方向に伸延するスポーク１１６を収受する角度、半径方向にオフセットされる。キャップ１１８が、マニホルド凹所１１４を覆って回転自在に取り付けられ、アセンブリ全体は中心軸１２０により相互に保持される。これらの各部品は全て先に説明した様式下に作動する。
【００１６】
各スポーク１１６は、陳列された商品が取り外されないように陳列ホイール１０６のハンガー１１２を覆って常閉され、かくして、取り外し防止要素として作用する。キャップ１１８は、特定のスポーク１１６を選んでこれを持ち上げ、相当するアーム１１０に保持された品物だけを取り外せるように回転自在である。各アーム１１０は、通常、アームの外側端部位置で、各アームを連接して各アーム１１０を安定化するリング１２２に固定される。
【００１７】
マニホルド凹所１１４は、下端部の外径が支柱１０２の内径よりも小さく、上端部が、前記下端部を支柱１０２に通した場合に、支柱１０２とハブ１０８とが接触する肩部１２８を提供するように直径を若干大きくした円筒状の控え胴部を含む。マニホルド凹所１１４の壁には、ハブ１０８の表面から内側に伸延するピン１３４を嵌入させてマニホルド凹所１１４をバヨネット様式下に然るべく錠止するためのＬ字型の長孔１３２が設けられる。
【００１８】
支柱１２０、ハブ１０８、マニホルド凹所１１４には、ネジ溝付きの孔１２４、１３４、１３６が夫々設けられる。次いで、これらの支柱１２０、ハブ１０８、マニホルド凹所１１４はネジ１２６により然るべく相互に締着される。
マニホルド凹所１１４の胴部内には、中心開口１４０を有する横断方向プレート１３８と、中心開口の周囲に配列された複数のブッシュ１４２とが固定される。ブッシュ１４２の数はスポーク１１６の数と一般には一致され、各ブッシュ１４２はスポーク１１６の細長のステム１４４を受けるようになっている。各スポーク１１６は先に図示され且つ説明したと類似の構造を有し、圧縮バネにより先と同一態様下に偏倚される。スポーク１１６を完全に座着させるために、マニホルド凹所１１４の上縁部には各スポーク１１６に相当する半円形の窪みあるいは切り欠き１５０が形成される。
【００１９】
この点に関し、支柱１０２、スポーク１１６、キャップ１１８、偏倚手段及びその他の構造は先に示され且つ説明されたそれと同一であるので、それらの説明が参照される。
装置即ち陳列スタンドの組み立てに際しては先ず、各スポーク１１６のステム１４４をブッシュ１４２に通し、圧縮バネ１４６を然るべく位置決めする。次いで陳列ホイール１０６を支柱１０２に載せ、マニホルド凹所１１４をハブ１０８及び支柱１０２に載せる。次いでキャップ１１８をマニホルド凹所１１４に被せて中心軸１２０をこのマニホルド凹所１１４の中心に通し、中心軸１２０の拡大された上端部１６０をマニホルド凹所１１４内のプレート１３８と当接させる。これにより各スポーク１１６は各切り欠き１５０内に保持される。
【００２０】
図６に示される別態様において、各アーム１１０は閉鎖リング１２２ではなく腔あるいは凹所１７０を有する自由端で終端される。他方、スポーク１１６は、スポーク１１６を閉鎖位置に下げたときに凹所１７０に入り、スポークから品物が取り外されないようにする落とし込み端部１６８において終端される。
【００２１】
この実施例では各アーム１１０は、上縁部に沿って等間隔に配置された複数の窪み１７２が設けられるにもかかわらず、オフセットされたハンガー１１２は有していない。留め金を有する宝石を陳列するためのピン１７４を各アーム１１０の長手方向に沿って挿通することができる。
【００２２】
図６に示される陳列スタンドは、保持用リングを含む留め金を持つ宝石のために特に有益である。留め金の保持用リングをピン１７４の端部を越えて滑り込ませることができ、また、スポーク１１６を閉鎖位置に押し下げて各ピン１７４の端部と接触させれば宝石をピンから取り外すことができなくなる。各スポーク１１６の裏側に沿って、各ピン１７４と整列する逆さコップ形態の凹所１７６が等間隔に複数設けられる。従って、スポーク１１６を閉鎖位置に押し下げるとこれらの凹所１７６がピン１７４と係合するので、宝石の盗難の恐れが更に低下される。これにより、留め金付き及び留め金無しの宝石を、無断で取り外される恐れなく陳列することができる。
【００２３】
図７及び図８には本発明の更に他の実施例が示される。この実施例では各アーム１１０のみならずスポーク１１６は下方に傾斜するように変更されている。この形態では、ハンドバッグのような商品を、そのショルダーストラップを使用してアーム１１０のハンガー１１２に吊し且つ自由吊り下げすることができる。同様に、ストラップを閉鎖位置に押し下げた場合にハンガー１１２の自由端部と係合する逆さコップ形態の凹所１７６を、各ストラップ１１６の裏側に沿って位置付けることができる。
【００２４】
本発明を、宝石、ブレスレット、ネックレス、ハンドバッグのような、女性のファッションアイテムに関して説明したが、本発明は男性用のベルト、チェーン、ネクタイその他のような様々な品物を保管あるいは保持するために有効に使用することが出来る。本発明によれば、陳列装置からの商品の無断取り外しや、宝石類の盗難が有効に最小化される。以上、本発明を実施例を参照して説明したが、本発明の内で種々の変更をなし得ることを理解されたい。
【００２５】
（発明の効果）
使用が簡単で且つ手で簡単に操作することができ、しかも尚、盗難、万引きなどを防止あるいは最小化する特徴を持った陳列スタンドが提供される。
また、構造が簡単で見た目が良く、製造コストも安価な陳列スタンドが提供される。
【図面の簡単な説明】
【図１】  本発明の陳列スタンドの斜視図である。
【図２】  図１を線Ａ−Ａに沿って切断した断面図である。
【図３】  支柱アセンブリの内部構造を示す陳列スタンドの部分的に仮想線で示す斜視図である。
【図４】  陳列スタンドのキャップ及び錠止機構を示す部分破除した斜視図である。
【図５】  本発明の別態様における陳列スタンドの斜視図である。
【図６】  本発明の陳列スタンドの他の陳列機構を示す斜視図である。
【図７】  本発明の更に他の陳列機構を示す斜視図である。
【図８】  図７の閉鎖機構部分の拡大斜視図である。
【符号の説明】
１０  陳列スタンド
１２  台座
１４  支柱
１６  ハンガーアセンブリ
１８  スポーク
２０  アーム
２２  閉鎖リング
２４  切り欠き
２８、３０  プレート
３２  ガイド孔
３４  ロッド
３６  コッタピン
４２  圧縮バネ
４４  ブッシュ
４６  凹所
４８  キャップ
５０  ベアリング
５２  中心軸
５４  ネジ溝付きナット
５６  軸方向長孔
５８  ストッパ
６０  螺旋バネ
６２  舌部
６４  ピボット
１００  陳列スタンド
１０２  支柱
１０４  台座
１０６  陳列ホイール
１０８  ハブ
１１０  アーム
１１２  ハンガー
１１４  マニホルド凹所
１１６  スポーク
１１８  キャップ
１２０  中心軸
１２２  リング
１２４、１３４、１３６  ネジ溝付きの孔
１２６  ネジ
１２８  肩部
１３０  Ｌ字型の長孔
１３２、１７４  ピン
１３８  横断方向プレート
１４０  中心開口
１４２  ブッシュ
１４４  ステム
１４６  圧縮バネ
１５０  切り欠き
１６０  上端部
１６８、１７６  凹所
１７０  落とし込み端部
【図１】
0004579476.tif 000002
【図２】
0004579476.tif 000003
【図３】
0004579476.tif 000004
【図４】
0004579476.tif 000005
【図５】
0004579476.tif 000006
【図６】
0004579476.tif 000007
【図７】
0004579476.tif 000008
【図８】
0004579476.tif 000009